(57)【要約】      （修正有）【課題】ワッシャー併用の釘を用いる網の固定において、強靭で、土中で分解し易く、燃焼で有害ガスを発生せず、コストも安いワッシャーを提供する。【解決手段】天然繊維を主原料とするバルカナイズドファイバーからなる網状物固定用ワッシャー、及びこれと釘との組み合わせで網状物を大地に固定する。【選択図】図１
2007159415.tif 000002
【特許請求の範囲】
【請求項１】
バルカナイズドファイバーからなることを特徴とする網状物固定用ワッシャー。
【請求項２】
厚さが０．５ｍｍ〜２ｍｍであることを特徴とする請求項１に記載の網状物固定用ワッシャー。
【請求項３】
円盤状を有し、かつ請求項１に記載のワッシャーと併用する釘の貫通孔を有することを特徴とする網状物固定用ワッシャー。
【請求項４】
前記貫通孔の縁端が鋸歯状を呈していることを特徴とする網状物固定用ワッシャー。
【請求項５】
請求項１乃至４に記載のワッシャーの貫通孔に、釘をその頭部直下まで挿入し、網状物に鉤合して大地に付設することを特徴とする網状物の大地への付設方法。
【発明の詳細な説明】
【技術分野】
【０００１】
本発明は、道路や鉄道などの近傍の露出した傾斜地の法面の崩壊を防ぐために、植物の種あるいは苗を直接又は透過性袋やポットに収納したものを多数設けて、これを金属繊維，プラスチック繊維あるいは天然繊維などで形成された網状物で、上から押さえるように包被する際に固定用に使用する釘と併用するワッシャー及びそれを用いた網状物の大地への固定方法に関する。又農地においても、植物を栽培するために、苗床となるものに網状物を被せて、この網状物を大地に固定し、植物の発芽や生育をする農業用マルチシートの固定に使用する釘と併用するワッシャー及びそれを用いた大地へ網状物の固定方法に関する。
【背景技術】
【０００２】
この場合、従来は網状物の固定には、鉄系の上部先端に鉤状の係止部を有する鉄系アンカーピンが使用されているのが通例であり、この鉤状の係止部を有する鉄系アンカーピンは重量が大であるため製造コスト及び運搬コストが大きく、また回収にも手間がかかるため、近時は量産されておりしかも軽量な図４に示す５寸釘などの釘が用いられることが多くなっている。
この場合、単に釘を網状物の固定に用いても固定しがたいので、通常厚紙製のワッシャーを用いて釘を網状物の所定位置に固定している。そのワッシャーの構造は図３の斜視図に示すように、通常の１ｍｍ〜１．５ｍｍ程度の円盤状の厚紙１１ａ，１１ｂを２枚合成樹脂接着剤で貼り合せた厚紙製ワッシャー１１で構成され、１２はその接合層、１３は中心の釘の脚部の挿入孔を示している。ここに用いられるワッシャーは例えば外径３０ｍｍ、中心の孔径２．２ｍｍ、厚さ２ｍｍ〜３ｍｍ程度のものが用いられてきた。
【０００３】
しかし、この従来の厚紙製のワッシャーは、素材自体は紙であるから土中埋設でバクテリアにより分解しやすいが、強度が弱いため、網状物に対する釘の引き止め力が弱く、中心の円孔の周辺は釘との摩擦で変形しやすいことを考慮して孔径は比較的大きくする傾向があり、これが更に釘の引き止め力を弱くしていた。また、厚紙を２枚重ねて接着するために用いる接着剤は合成樹脂であるために、廉価なもので可燃性であっても、土中に放置した場合、接着剤がバクテリアで分解され難いのみならず、ワッシャーを燃焼処理する場合有害ガスの発生が懸念されるという問題があった。また、接着剤のコスト、及び厚紙の貼り合わせコストがかかるために、なお一層の低コストでしかも強靭なワッシャーの出現が待望されていた。
【０００４】
【非特許文献１】日刊工業新聞社発行「機械用語辞典」第２版２０８ページ
【発明の開示】
【発明が解決しようとする課題】
【０００５】
このような厚紙製のワッシャーは、厚紙の厚さが、強度と形状保持の観点から厚さ２ｍｍ〜３ｍｍ程度のものが用いられ、また釘を通す孔径も漫然と釘の脚の径より大きいものが選定使用されていたに過ぎない。更にこのようなワッシャーは接着剤を使用しているために比較的高価であるのみならず、釘の脚の外径に近似した孔径のワッシャーでは釘の挿入で摩擦により挿入口に毛羽立ちが生じやすく、次第に孔径が大きくなり緩みを生じて釘による網状物の固定が不十分になるといった問題があった。また、そのため網状物の固定作業が非能率的で作業性が悪いものであった。
また、網状物の引き止め後に網状物を除去する際に、釘は回収するにしても釘よりも遥かに軽いワッシャーは放置したままにすることがあり勝ちであるが、厚紙製のワッシャーは前にも述べたように接着剤が地中のバクテリヤにで分解されにくいという問題、燃焼処理で、有害ガスを発生するという問題があるので、これらの問題を解決し、強靭で、コスト的にも廉価なワッシャーの提供が待たれていた。
【課題を解決するための手段】
【０００６】
本発明は上記の従来の紙製ワッシャーの課題を解決するために鋭意検討の結果なされたもので、バルカナイズドファイバーからなることを特徴とする網状物固定用ワッシャー（請求項１）であり、
厚さが０．５ｍｍ〜２ｍｍであることを特徴とする請求項１に記載の網状物固定用ワッシャー（請求項２）であり、
円盤状を有し、かつ請求項１に記載のワッシャーと併用する釘の貫通孔を有することを特徴とする網状物固定用ワッシャー（請求項３）であり、
前記貫通孔の端縁が鋸歯状を呈していることを特徴とする網状物固定用ワッシャー（請求項４）であり、
請求項１乃至４に記載のワッシャーの貫通孔に、釘をその頭部直下まで挿入し、網状物に鉤合して大地に付設する網状物のとする大地への付設方法（請求項５）である。
【発明の効果】
【０００７】
本発明のワッシャーは、薄くても強靭で、軽量で低コストで製作され、釘による網状物の固定に作業性がよく、網状物を除去する際に、５寸釘は回収するにしても更に細かいワッシャーは放置してもよく、その場合地中にて分解されやすく、燃焼しても有害ガスを発生しないものを提供するという利点がある。
【発明を実施するための最良の形態】
【０００８】
本発明を図面を参照しながら説明する。
【実施例１】
【０００９】
図１は本発明のワッシャーの一例を示す平面図で、ワッシャーの１はバルカナイズドファイバーからなる中空円盤状で、釘の脚の外径にほぼ等しい内径の中心円状孔部２が設けられている。ワッシャーの厚さは０．５ｍｍ〜２ｍｍ好ましくは０．５ｍｍ〜１ｍｍ、釘の頭部直下の円柱状脚部の外径にほぼ等しいかやや小径の内径を有する円状孔部２を有する。材質は厚紙より遥かに硬質であり、釘の外径にほぼ等しい内径を有する円状孔部であっても、厚紙製のワッシャーのように釘の脚部との接触でもめくれや変形を生じる恐れが無く、上記したような孔径が釘の引き止め部の径と殆ど同じ径にすることができるので、釘を強固に網状物に固定することができる。また、本発明のワッシャーは重量及び嵩が厚紙製のワッシャーに比べて、遥かに小さいので、運送費が低廉となり、天然繊維のみからなるので大地へ放置した場合にバクテリアで分解されやすく、また燃焼しても有害ガスを発生しない。
【００１０】
図２は本発明のワッシャーの他の一例を示す平面図で、ワッシャー１はバルカナイズドファイバーからなる中空円盤状で、釘の円柱状脚部の外径にほぼ等しい内径の中心円状孔部２が設けられている。また、請求項４にて規定するように該中心円状孔部２からなる貫通孔の縁端は、半径方向に一定の深さで鋸歯状のギザギザ１ｚが設けられていてもよい。これにより釘の脚部の引き止め箇所の径よりやや小さい内径のものであっても変形で引き止られるので、図１のものより強固な固定ができるものである。なお、本発明のワッシャーは上記したように円盤状でない形状でもよいことは勿論、釘を挿通するための貫通孔を設けなくても、釘を網状物に固定する際の打撃力で穿孔し、止められるものであってもよい。
【００１１】
本発明のワッシャーの素材を説明すれば、天然繊維を主原料とするバルカナイズドファイバーからなる。すなわち、該バルカナイズドファイバーは、コットンパルプや精製木材パルプから作られた原料紙を塩化亜鉛を利用して加工製造され、完成品は繊維素１００％の均一組織からなり、卓越した剛性と強靭性を有するために、厚紙では得られない薄くて強靭なワッシャーが得られるのである。
また、本発明でいう網状物とは、針葉樹パルプ等を原料とする原紙を撚って作成した紙ひもを編網したネットや、ポリエチレン、ポリプロピレン等の合成繊維や木綿、麻等の天然繊維を原料としこれを編網したネットや、金網等が該当しこれらが本発明に供される。
そして、コストも廉価であるが、網状物の固定を解除する場合に釘は容易に大地から抜けて、網状物の回収ができ、更に、ワシャーは大地に放置されることがあっても、バクテリアで自然に還元する効果がある。また廃棄物処理で燃焼するにしても有害ガスは全く発生しない。
ワッシャーの厚さは、通常０．５ｍｍ〜２ｍｍで、釘の挿通孔としては、釘の頭部直下のやや太い円柱状部の外径にほぼ等しいかこれより細い孔径のものが網状物の固定に有利であり、軽量で、コストも低廉である。なお、好ましい釘としては５寸釘が多く用いられているが、網状物の網目の大きさや設定状況により好ましいサイズの釘を選択すればよい。
また、本発明のワッシャーの用途は、網状物以外に、網目のないプラスチックフィルムや紙等のシート状物を大地に固定する際にも釘と併用して適用することが出来る。
【産業上の利用可能性】
【００１２】
道路や鉄道などの近傍の露出した傾斜地の法面の崩壊を防ぐための網状物の固定や農業用網状物の固定に利用することが可能である。
【図面の簡単な説明】
【００１３】
【図１】本発明のワッシャーの一例の正面図。
【図２】本発明のワッシャーの他の一例の正面図。
【図３】従来の厚紙貼り合わせによるワッシャーの斜視図。
【図４】釘の一例の側面図。
【符号の説明】
【００１４】
１    ワッシャー
２    中心円状孔部
１ｚ    鋸歯状のギザギザ
１１    厚紙製ワッシャー
１１ａ，１１ｂ    円盤状の厚紙
１２    接合層
１３    挿入孔
【図１】
2007159415.tif 000003
【図２】
2007159415.tif 000004
【図３】
2007159415.tif 000005
【図４】
2007159415.tif 000006